(57)【要約】【課題】  センサを搭載した無線タグについて、無線タグ読み書き装置が読み出すデータ量を減らして通信時間を短縮し、データを早く取得することができる無線タグ、無線タグ読み書き装置、無線タグ情報提供方法および無線タグシステムを提供する。【解決手段】  無線タグ読み書き装置２００は、無線タグ１００の判定手段１０４に判定データを送信する。センサ１０１は、無線タグの周辺や無線タグが付随された商品の温度を測定し、測定したデータをセンサデータとしてセンサデータ格納手段１０２に格納する。無線タグ読み書き装置３００は、判定手段１０４に判定結果要求を送信する。判定手段１０４は、センサデータ格納手段１０２に格納されるセンサデータを取得し、判定データに基づいて、センサデータが正常であるか否かを判定し、判定結果を無線タグ読み書き装置３００に出力する。【選択図】  図１
2006302179.tif 000002
【特許請求の範囲】
【請求項１】
無線タグ読み書き装置と無線通信を行う無線タグであって、
自身および自身の周辺に関する情報を検出する検出手段と、
前記検出手段が検出した情報を検出情報として格納する検出情報格納手段と、
検出情報を判定する条件を示す判定基準情報をあらかじめ記憶し、判定基準情報に基づいて前記検出情報格納手段が格納する検出情報が正常であるか否かを示す判定結果情報を出力する判定手段と、
前記判定手段が出力した判定結果情報を前記無線タグ読み書き装置に送信する通信制御手段と
を備えたことを特徴とする無線タグ。
【請求項２】
検出情報格納手段は、前記検出手段が検出した検出情報のうち、判定結果情報に対応する検出情報を格納する
請求項１記載の無線タグ。
【請求項３】
検出情報格納手段は、検出情報に対応させて検出情報の検出時刻を示す情報を格納し、
判定手段は、判定結果情報に対応する検出情報もしくは検出情報の検出時刻または判定結果情報に対応する検出情報および検出情報の検出時刻を示す情報を判定結果情報として出力する
請求項１または請求項２記載の無線タグ。
【請求項４】
判定手段は、無線タグ読み書き装置が送信する判定結果要求情報を受信した場合に、判定結果情報を出力する
請求項１から請求項３のうちいずれかに記載の無線タグ。
【請求項５】
判定結果情報を格納する判定結果格納手段を備え、
通信制御手段は、無線タグ読み書き装置が送信する判定結果要求情報を受信した場合に、判定結果格納手段が格納する判定結果情報を無線タグ読み書き装置に送信する
請求項１から請求項４のうちいずれかに記載の無線タグ。
【請求項６】
自身および自身の周辺に関する情報を検出する検出手段を備えた無線タグと無線通信を行う無線タグ読み書き装置であって、
検出情報が正常であるか否かを示す判定結果情報を要求する情報を前記無線タグに送信する判定結果要求手段と、
検出情報を要求する情報を前記無線タグに送信する検出情報要求手段と
を備えたことを特徴とする無線タグ読み書き装置。
【請求項７】
無線タグ読み書き装置が無線タグから情報を読み取る無線タグ情報提供方法であって、
自身および自身の周辺に関する情報を検出し、
検出した情報を検出情報として格納し、
検出情報を判定する条件を示す判定基準情報をあらかじめ記憶し、判定基準情報に基づいて格納する検出情報が正常であるか否かを示す判定結果情報を出力し、
判定結果情報を前記無線タグ読み書き装置に送信する
ことを特徴とする無線タグ情報提供方法。
【請求項８】
無線タグと無線タグ読み書き装置とを備えた無線タグシステムであって、
前記無線タグは、
自身および自身の周辺に関する情報を検出する検出手段と、
前記検出手段が検出した情報を検出情報として格納する検出情報格納手段と、
検出情報を判定する条件を示す判定基準情報をあらかじめ記憶し、判定基準情報に基づいて前記検出情報格納手段が格納する検出情報が正常であるか否かを示す判定結果情報を出力する判定手段と、
前記判定手段が出力した判定結果情報を前記無線タグ読み書き装置に送信する通信制御手段とを備え、
前記無線タグ読み書き装置は、
検出情報が正常であるか否かを示す判定結果情報を要求する情報を前記無線タグに送信する判定結果要求手段と、
検出情報を要求する情報を前記無線タグに送信する検出情報要求手段とを備えた
ことを特徴とする無線タグシステム。
【発明の詳細な説明】
【技術分野】
【０００１】
本発明は、内蔵するセンサが検出した情報を取得することができる無線タグ、無線タグ読み書き装置、無線タグ情報提供方法および無線タグシステムに関する。
【背景技術】
【０００２】
情報通信技術の発達に伴い、メモリ付き集積回路を有する「ＩＣタグ」（一般に、「電子タグ」、「非接触データキャリア」、「無線ＩＣタグ」、「非接触ＩＣ」、「非接触ＩＣラベル」、「非接触ＩＣタグ」、「ＲＦＩＤ」等と表現される場合もある。）を物品に実装し、「ＩＣタグ」に各種の情報を記録して、商品情報表示や物流の合理化あるいは物品の管理が行われるようになってきている。「ＩＣタグ」は、「ＩＣタグ」が有するメモリに記憶された個体識別符号などの情報を読み取るＩＣタグリーダ装置との間で無線通信による通信を行う。以下、ＩＣタグを無線タグと表記する。
【０００３】
近年では、各種のセンサを内蔵する無線タグが注目されている。センサ内蔵型無線タグを利用したシステムの一例として、生鮮食料品の性質や流通形態に適した生鮮食料品の管理システムが提供されている（例えば、特許文献１参照）。
【０００４】
特許文献１に記載されたシステムは、生鮮食料品を保存し輸送する際の保存品質を管理するシステムであって、生鮮食料品を梱包する梱包体に、温度を検出する温度センサと衝撃を検出する衝撃センサとこれら温度及び衝撃センサが検出したデータを保存するメモリとそのデータを微弱電波で送信する送受信部とそのデータにタグ個別の識別番号を付加する識別番号付加部とを備えたタグを同梱させる。この梱包体が保存される近傍に各タグから送信されたデータを受信するタグ用受信機を設置すると共にこのタグ用受信機には通信回線又は広域無線を利用する通信機器を接続する。そして、この通信機器から各タグのデータを収集する情報収集センタを設置する。情報収集センタでは、収集した各タグのデータが示す保存環境の履歴から梱包体の生鮮食料品の保存品質を判定し、情報収集センタに通信回線を介して問い合わせる端末機器に対して保存品質を回答する。また、予め設定されるしきい値によりセンサが検出したデータについて保存環境の良否を判定し、この判定結果を当該タグを輸送中の輸送車両に対して通知する保存環境判定手段が、少なくともタグ、輸送車両、情報収集センタのいずれかに設けられている。
【０００５】
また、書き換え可能な大容量データ領域を保持する無線タグを利用した温度センサ、温度測定装置、温度測定システム及びプログラムが提供されている（例えば、特許文献２参照）。
【０００６】
特許文献２に記載された温度センサは、温度に依存して共振周波数が変化する共振回路を有する無線タグとして構成されている。共振回路は、コイルとコンデンサとからなり、コンデンサの電極間には温度変化に応じて誘電率が変化する材料を備えている。また、無線タグは、メモリと通信手段とマイクロコンピュータとを有し、メモリは、共振回路における共振周波数対温度特性をテーブルとして記憶し、マイクロコンピュータは、通信手段を介して周波数を変化させながら電波を送受信することにより共振回路の共振周波数を特定し、テーブルを参照することにより当該共振周波数に対応する温度を特定する。マイクロコンピュータは、共振周波数の特定および温度の特定を周期的に行い、特定された温度をメモリに履歴として記録する。マイクロコンピュータは、通信手段を介して受信したコマンドに従って、メモリに記憶された温度履歴を読み出して通信手段を介して送信する。また、特許文献２に記載された温度測定装置は、温度に依存して共振周波数が変化する共振回路を備えた無線タグに対して電波を送受信することにより、共振回路の共振周波数を検知する検知手段と、検知された共振周波数に基づいて無線タグの温度を特定する特定手段と、ユーザによる監視温度の設定を受け付ける受付手段と、検知手段及び特定手段により周期的に温度を特定させるよう制御する制御手段と、特定された温度が監視温度に達したか否かを判定する判定手段と、達したと判定されたとき警告を発する警告手段とを備えている。
【０００７】
また、定期的に送信情報を送信して複数の電子タグ内に履歴情報を施すとともに自己の内部情報に関する処理を同時並行的に実行せしめ処理時間を短縮することができる電子タグシステムが提供されている（例えば、特許文献３参照）。
【０００８】
特許文献３に記載された電子タグシステムは、非接触型電子タグの読取書込み装置と非接触型電子タグとを有している。読取書込み装置は複数の非接触型電子タグに共通の呼び出しを行う共通呼び出し手段、および共通呼び出し手段を用いて非接触型電子タグに情報を送信する手段を備えている。非接触型電子タグは、共通呼び出し手段により提供される情報を受信する手段、演算手段、記憶手段、および、読取書込み装置へ応答を送信する手段または演算手段の演算結果を記憶手段に記憶する手段を有している。演算手段は、共通呼び出し手段により提供される情報と記憶手段の有する情報とを用いて応答を決定する手段を含む。
【０００９】
【特許文献１】特開２００２−３５８５９１号公報（段落００５８−００６０）
【特許文献２】特開２００４−１４４６８３号公報（段落００１７−００１８）
【特許文献３】特開２００５−２５２４０号公報（段落００７０−００７５）
【発明の開示】
【発明が解決しようとする課題】
【００１０】
特許文献１に記載された方式では、情報収集センタが保存環境の良否を判定する場合には、センサが検出した全てのデータを情報収集センタが受信する必要がある。そのため、センサが検出したデータの容量が大きくなると、データを読み出すのに時間がかかるという問題がある。特に、センサ内蔵型無線タグから大容量のデータを読み出す場合、無線タグに内蔵される電池を多く消耗するため、無線タグの製品寿命が短くなってしまう。
【００１１】
また、特許文献２に記載された方式では、温度測定装置が、特定された温度が監視温度に達したか否かを判定する判定手段を有し、無線タグは判定手段を備えていないため、温度測定装置は、判定を行う際に無線タグの保持する全ての温度履歴データを読み出す必要がある。そのため、温度履歴データの容量が大きくなると、データを読み出すのに時間がかかるという問題がある。
【００１２】
特許文献３に記載された方式では、センサを内蔵していないことから、例えば、無線タグの周辺や無線タグが付随された商品の温度などの随時変化するデータの読み取りや判定を行うことはできないという問題がある。また、判定の際に参照される情報は、共通呼び出し手段が、無線タグが記憶するデータを要求する際に送信する情報である。そのため、判定の際に参照される情報が商品の種別によって異なる場合には、商品種別の増加に伴って共通呼び出し手段が送信する情報の種類が増加するため、データの要求時の処理に時間がかかるという問題がある。
【００１３】
そこで、本発明は、センサを搭載した無線タグについて、無線タグ読み書き装置が読み出すデータ量を減らして通信時間を短縮し、データを早く取得することができる無線タグ、無線タグ読み書き装置、無線タグ情報提供方法および無線タグシステムを提供することを目的とする。
【課題を解決するための手段】
【００１４】
本発明による無線タグは、無線タグ読み書き装置と無線通信を行う無線タグであって、自身および自身の周辺に関する情報を検出する検出手段と、検出手段が検出した情報を検出情報として格納する検出情報格納手段と、検出情報を判定する条件を示す判定基準情報をあらかじめ記憶し、判定基準情報に基づいて検出情報格納手段が格納する検出情報が正常であるか否かを示す判定結果情報を出力する判定手段と、判定手段が出力した判定結果情報を無線タグ読み書き装置に送信する通信制御手段とを備えたことを特徴とする。
【００１５】
検出情報格納手段は、検出手段が検出した検出情報のうち、判定結果情報に対応する検出情報を格納してもよい。そのような構成によれば、検出情報格納手段が、正常または異常と判定されたデータのみを格納することができ、使用する記憶領域を低減することができる。
【００１６】
検出情報格納手段は、検出情報に対応させて検出情報の検出時刻を示す情報を格納し、判定手段は、判定結果情報に対応する検出情報もしくは検出情報の検出時刻または判定結果情報に対応する検出情報および検出情報の検出時刻を示す情報を判定結果情報として出力してもよい。そのような構成によれば、無線タグ読み書き装置は、無線タグのすべての検出情報を要求することなく、判定結果として正常または異常と判定されたデータのみを取得することができる。
【００１７】
判定手段は、無線タグ読み書き装置が送信する判定結果要求情報を受信した場合に、判定結果情報を出力してもよい。そのような構成によれば、判定結果情報を常時読み出す必要がない場合には、無線タグ読み書き装置は無線タグと適宜通信すればよいことから、無線タグ読み書き装置を柔軟に配置することができる。
【００１８】
判定結果情報を格納する判定結果格納手段を備え、通信制御手段は、無線タグ読み書き装置が送信する判定結果要求情報を受信した場合に、判定結果格納手段が格納する判定結果情報を無線タグ読み書き装置に送信してもよい。そのような構成によれば、無線タグ読み書き装置が判定結果要求情報を送信してから判定結果を受信するまでの時間を短縮することができるため、判定結果をさらに短時間で確認することができる。
【００１９】
本発明による無線タグ読み書き装置は、自身および自身の周辺に関する情報を検出する検出手段を備えた無線タグと無線通信を行う無線タグ読み書き装置であって、検出情報が正常であるか否かを示す判定結果情報を要求する情報を無線タグに送信する判定結果要求手段と、検出情報を要求する情報を無線タグに送信する検出情報要求手段と
を備えたことを特徴とする。
【００２０】
本発明による無線タグ情報提供方法は、無線タグ読み書き装置が無線タグから情報を読み取る無線タグ情報提供方法であって、自身および自身の周辺に関する情報を検出し、
検出した情報を検出情報として格納し、検出情報を判定する条件を示す判定基準情報をあらかじめ記憶し、判定基準情報に基づいて格納する検出情報が正常であるか否かを示す判定結果情報を出力し、判定結果情報を無線タグ読み書き装置に送信する
ことを特徴とする。
【００２１】
本発明による無線タグシステムは、無線タグと無線タグ読み書き装置とを備えた無線タグシステムであって、無線タグは、自身および自身の周辺に関する情報を検出する検出手段と、検出手段が検出した情報を検出情報として格納する検出情報格納手段と、検出情報を判定する条件を示す判定基準情報をあらかじめ記憶し、判定基準情報に基づいて検出情報格納手段が格納する検出情報が正常であるか否かを示す判定結果情報を出力する判定手段と、判定手段が出力した判定結果情報を無線タグ読み書き装置に送信する通信制御手段とを備え、無線タグ読み書き装置は、検出情報が正常であるか否かを示す判定結果情報を要求する情報を無線タグに送信する判定結果要求手段と、検出情報を要求する情報を無線タグに送信する検出情報要求手段とを備えたことを特徴とする。
【発明の効果】
【００２２】
本発明によれば、センサを搭載する無線タグが判定手段を有し、センサデータが正常であるか否かを判定することができる。また、無線タグがセンサデータを格納することができる。無線タグが判定手段を有することから、すべてのデータを送信する必要がないため、通信時間を短縮し、判定結果を短時間で確認することができる。また、無線タグ読み書き装置は、無線タグのすべての検出情報を要求することなく、判定結果として正常または異常と判定されたデータのみを取得することができる。検出情報格納手段が、正常または異常と判定されたデータのみを格納することができ、使用する記憶領域を低減することができる。
【発明を実施するための最良の形態】
【００２３】
実施の形態１．
以下、本発明の第１の実施の形態を図面を参照して説明する。図１は、本発明による無線タグシステムの第１の実施の形態を示すブロック図である。図１に示す無線タグシステムは、無線タグ１００と、無線タグ読み書き装置２００と、無線タグ読み書き装置３００とを備える。
【００２４】
無線タグ１００は、センサ１０１と、センサデータ格納手段１０２と、送受信手段１０３と、判定手段１０４とを備える。また、無線タグ１００は、プログラムに従って動作するＣＰＵ（図示せず。）とそのプログラムを記憶する記憶装置（図示せず。）とを備える。無線タグ１００の各機能は、ＣＰＵが、それらの機能を実現するためのプログラムを実行することによって実現される。
【００２５】
センサ１０１は、温度や圧力などの物理量を検出するセンサであって、無線タグの周辺や無線タグが付随された商品に関するデータを検出する。センサデータ格納手段１０２は、例えば不揮発性メモリなどの記憶媒体であって、センサ１０１が検出したデータを格納する。
【００２６】
送受信手段１０３は、アンテナ機能を内蔵し、無線タグ読み書き装置２００，３００と無線信号の送受信を行うための処理を実行する機能を有する。送受信手段１０３は、無線タグ読み書き装置２００から受信した判定基準データや、無線タグ読み書き装置３００から受信した判定結果要求を判定手段１０４に出力する処理や、センサデータ格納手段１０２に記憶されたデータや判定手段１０４が出力した判定結果などの情報を無線タグ読み書き装置２００，３００に送信する処理を実行する。
【００２７】
判定手段１０４は、無線タグ読み書き装置２００が出力した判定基準データに基づいて、センサデータ格納手段１０２に格納されているデータが正常であるか否かを判定し、判定結果を出力する処理を実行する機能を有する。なお、判定結果は、異常と判定されるデータ（異常データ）を含むか否かを示す情報であってもよい。例えば、センサデータが一つのみの場合は、「正常」もしくは「異常」のみを通知する情報であってもよく、センサデータが複数の場合は、すべてのデータについて正常である場合に「正常」を通知し、一つでも異常なデータがある場合に、「異常」を通知する情報であってもよい。判定手段１０４は、無線タグ１００におけるＣＰＵが、その機能を実現するためのプログラムを実行することによって実現される。
【００２８】
無線タグ読み書き装置２００は、無線タグ１００と無線通信を行う無線タグ読み書き装置であって、センサデータ格納手段１０２に格納されているデータが正常であるか否かを判定するための基準となる判定基準データを送受信手段１０３に送信する処理を実行する機能を有する。
【００２９】
無線タグ読み書き装置３００は、無線タグ１００と無線通信を行う無線タグ読み書き装置であって、判定手段１０４が出力する判定結果を要求する判定結果要求を送受信手段１０３に送信し、送受信手段１０３から判定結果を受信する処理を実行する機能を有する。また、無線タグ読み書き装置３００は、センサデータ格納手段１０２に格納されるセンサデータを要求するセンサデータ要求を送受信手段１０３に送信し、送受信手段１０３からセンサデータを受信する処理を実行する機能を有する。
【００３０】
第１の実施の形態において、検出手段は、センサ１０１によって実現される。検出情報格納手段は、センサデータ格納手段１０２によって実現される。判定手段は、判定手段１０４によって実現される。通信制御手段は、送受信手段１０３によって実現される。判定結果要求手段および検出情報要求手段は、無線タグ読み書き装置３００におけるＣＰＵがそれらの機能を実現するためのプログラムを実行することによって実現される。
【００３１】
次に、図２を参照して第１の実施の形態の動作について説明する。図２は、第１の実施の形態の無線タグシステムの動作を示すシーケンス図である。なお、図２に示すシーケンス図において、実線の矢印は要求であることを示し、破線の矢印は応答であることを示す。以下、センサ１０１が温度センサであって、無線タグ読み書き装置２００が送信する判定基準データは、温度が０度以上３０度未満である場合に正常と判定する、という内容であり、判定結果が異常データを含むか否かを示す情報である場合を例に説明する。
【００３２】
無線タグ読み書き装置２００は、無線タグ１００の送受信手段１０３に判定基準データを送信する（ステップＳ１）。送受信手段１０３は、受信した判定基準データを判定手段１０４に出力する（ステップＳ２）。
【００３３】
センサ１０１は、無線タグの周辺や無線タグが付随された商品の温度を測定し（ステップＳ３）、測定したデータをセンサデータとしてセンサデータ格納手段１０２に格納する（ステップＳ４）。ステップＳ３およびステップＳ４の処理が繰り返されることにより、センサデータの履歴がセンサデータ格納手段１０２に格納される。
【００３４】
無線タグ読み書き装置３００は、無線タグ１００の送受信手段１０３に判定結果要求を送信する（ステップＳ５）。送受信手段１０３は、受信した判定結果要求を判定手段１０４に出力する（ステップＳ６）。
【００３５】
判定手段１０４は、センサデータ格納手段１０２に格納されるセンサデータを要求し（ステップＳ７）、取得する（ステップＳ８）。判定手段１０４は、判定基準データに基づいて、センサデータが、温度が０度以上３０度未満である場合に正常と判定し、０度未満または３０度以上である場合に異常と判定する（ステップＳ９）。
【００３６】
判定手段１０４は、判定結果を送受信手段１０３に出力する（ステップＳ１０）。送受信手段１０３は、無線タグ読み書き装置３００に、判定結果を送信する（ステップＳ１１）。
【００３７】
また、無線タグ読み書き装置３００は、判定結果だけでなく、必要に応じて無線タグ１００のセンサデータを要求することができる。その場合、無線タグ読み書き装置３００は、無線タグ１００の送受信手段１０３にセンサデータ要求を送信する（ステップＳ１２）。送受信手段１０３は、センサデータ格納手段１０２に格納されるセンサデータを要求し（ステップＳ１３）、取得する（ステップＳ１４）。送受信手段１０３は、無線タグ読み書き装置３００に、センサデータを送信する（ステップＳ１５）。
【００３８】
以上に説明したように、上記の第１の実施の形態によれば、センサを搭載する無線タグが判定手段を有し、センサデータが正常であるか否かを判定することができる。よって、無線タグ読み書き装置が判定を行わないことから、無線タグに格納された全てのセンサデータを無線タグ読み書き装置に送信する必要がない。したがって、無線タグと無線タグ読み書き装置とのデータ通信にかかる時間を短縮することができ、センサデータが正常であるか否かの判定結果を短時間で確認することができるという効果がある。例えば、物流システムにおいて、無線タグを同梱する商品が、無線タグ読み書き装置を有するチェックポイントを通過する際の処理速度を向上させることができる。また、無線タグが電池を内蔵し、データの送信に電力を使用する場合には、データの読み出し時に消費する電力が少なくてすむため、無線タグの製品寿命を延ばすことができる。
【００３９】
また、無線タグがセンサデータを格納することができるため、データを常時読み出す必要がない場合には、無線タグ読み書き装置は無線タグと適宜通信すればよいことから、無線タグ読み書き装置を柔軟に配置することができる。
【００４０】
さらに、商品やセンサの種類に応じた判定基準データを無線タグが格納することができるため、無線タグが付随された商品の種類や、搭載されるセンサの種類が増加した場合であっても、無線タグ読み書き装置がどの無線タグに対してどの判定基準を用いればよいのかを選択する必要がなくなり、データの要求時および読み出し時の処理時間に影響を及ぼさないという効果がある。
【００４１】
実施の形態２．
次に、本発明の第２の実施の形態を図面を参照して説明する。図３は、本発明による無線タグシステムの第２の実施の形態を示すブロック図である。図３に示す無線タグシステムは、無線タグ１００と、無線タグ読み書き装置２００と、無線タグ読み書き装置３００とを備える。
【００４２】
無線タグ１００は、センサ１０１と、センサデータ格納手段１０２と、送受信手段１０３と、判定手段１０４と、判定結果格納手段１０５を備える。また、無線タグ１００は、プログラムに従って動作するＣＰＵとそのプログラムを記憶する記憶装置とを備える。無線タグ１００の各機能は、ＣＰＵが、それらの機能を実現するためのプログラムを実行することによって実現される。
【００４３】
判定結果格納手段１０５は、判定手段１０４が出力した判定結果を格納する記憶領域である。無線タグシステムのその他の構成は、第１の実施の形態における構成（図１参照。）と同様であるため、説明を省略する。
【００４４】
第２の実施の形態において、判定結果格納手段は、判定結果格納手段１０５によって実現される。
【００４５】
次に、図４を参照して第２の実施の形態の動作について説明する。図４は、第２の実施の形態の無線タグシステムの動作を示すシーケンス図である。なお、図４に示すシーケンス図において、実線の矢印は要求であることを示し、破線の矢印は応答であることを示す。以下、センサ１０１が温度センサであって、無線タグ読み書き装置２００が送信する判定基準データは、温度が０度以上３０度未満である場合に正常と判定する、という内容であり、判定結果が異常データを含むか否かを示す情報である場合を例に説明する。
【００４６】
無線タグ読み書き装置２００は、無線タグ１００の送受信手段１０３に判定基準データを送信する（ステップＳ２１）。送受信手段１０３は、受信した判定基準データを判定手段１０４に出力する（ステップＳ２２）。
【００４７】
センサ１０１は、無線タグの周辺や無線タグが付随された商品の温度を測定し（ステップＳ２３）、測定したデータをセンサデータとしてセンサデータ格納手段１０２に格納する（ステップＳ２４）。ステップＳ２３およびステップＳ２４の処理が繰り返されることにより、センサデータの履歴がセンサデータ格納手段１０２に格納される。また、センサ１０１は、センサデータを格納した旨を通知する情報を判定手段１０４に出力する（ステップＳ２５）。
【００４８】
判定手段１０４は、必要に応じて、センサデータ格納手段１０２に格納されるセンサデータを要求し（ステップＳ２６）、取得する（ステップＳ２７）。判定手段１０４は、判定基準データに基づいて、各センサデータが、温度が０度以上３０度未満である場合に正常と判定し、０度未満または３０度以上である場合に異常と判定する（ステップＳ２８）。判定手段１０４は、判定結果を判定結果格納手段１０５に格納する（ステップＳ２９）。
【００４９】
無線タグ読み書き装置３００は、無線タグ１００の送受信手段１０３に判定結果要求を送信する（ステップＳ３０）。送受信手段１０３は、受信した判定結果要求に基づいて、判定結果格納手段１０５に判定結果を要求し（ステップＳ３１）、判定結果を取得する（ステップＳ３２）。送受信手段１０３は、無線タグ読み書き装置３００に、判定結果を送信する（ステップＳ３３）。
【００５０】
なお、無線タグ読み書き装置３００が、無線タグ１００の送受信手段１０３に判定結果要求を送信した場合に、送受信手段１０３が判定結果要求を判定手段１０４に出力し、判定手段１０４が、センサデータ格納手段１０２に格納されるセンサデータを要求して取得し、判定基準データに基づいて各センサデータを判定し、判定結果を判定結果格納手段１０５に格納し、送受信手段１０３が、判定結果格納手段１０５に判定結果を要求して取得し、無線タグ読み書き装置３００に送信してもよい。
【００５１】
以上に説明したように、上記の第２の実施の形態によれば、判定手段１０４が随時判定結果を出力し、判定結果格納手段１０５が判定結果を格納する。したがって、第１の実施の形態による効果に加えて、無線タグ読み書き装置３００が判定結果要求を送信してから判定結果を受信するまでの時間を短縮することができるため、判定結果をさらに短時間で確認することができるという効果がある。
【００５２】
実施の形態３．
上記の各実施の形態では、判定手段１０４が出力する判定結果が、異常データを含むか否かを示す情報である場合を例示したが、判定結果は、異常データまたは異常データの検出された時刻を含む情報であってもよい。また、判定結果は、異常データおよび異常データの検出された時刻を含む情報であってもよい。
【００５３】
判定結果が異常データおよび異常データの検出された時刻を含む本発明の第３の実施の形態について説明する。なお、第３の実施の形態における構成は、第１の実施の形態における構成（図１参照。）と同様であるため、説明を省略する。
【００５４】
センサ１０１は、検出したデータとその検出時刻とを対応付けて、センサデータとしてセンサデータ格納手段１０２に格納する。判定手段１０４は、センサデータ格納手段１０２に格納されるセンサデータを取得する。
【００５５】
判定手段１０４は、判定基準データに基づいてセンサデータを判定し、異常データを含むか否かを示す情報と、異常データおよび異常データの検出された時刻とを含む情報を判定結果として出力し、送受信手段１０３を介して無線タグ読み書き装置３００に出力する。
【００５６】
以上に説明したように、上記の第３の実施の形態によれば、第１の実施の形態による効果に加えて、無線タグ読み書き装置３００は、無線タグ１００のすべてのセンサデータを要求することなく、判定結果として異常データのみを取得することができるという効果がある。したがって、すべてのセンサデータを要求する場合に比べて、無線タグと無線タグ読み書き装置とのデータ通信にかかる時間を短縮することができ、異常と判定された結果を短時間で確認することができる。
【００５７】
なお、第３の実施の形態を、第２の実施の形態と組み合わせて実施してもよい。
【００５８】
実施の形態４．
上記の各実施の形態では、センサデータ格納手段１０２が、センサ１０１が検出したすべてのデータを格納する場合を例示したが、異常データのみを格納してもよい。
【００５９】
センサデータ格納手段１０２が異常データのみを格納する本発明の第４の実施の形態について説明する。なお、第４の実施の形態における構成は、第２の実施の形態における構成（図３参照。）と同様であるため、説明を省略する。
【００６０】
センサ１０１は、測定したデータをセンサデータとして判定手段１０４に出力する。判定手段１０４は、判定基準データに基づいてセンサデータを判定し、異常データのみをセンサデータ格納手段１０２に格納する。この処理が繰り返されることにより、異常データの履歴がセンサデータ格納手段１０２に格納される。判定手段１０４は、判定結果を判定結果格納手段１０５に格納する。
【００６１】
以上に説明したように、上記の第４の実施の形態によれば、判定手段１０４が随時判定結果を出力し、判定結果格納手段１０５が判定結果を格納するとともに、センサデータ格納手段１０２が異常データのみを格納することから、判定結果をさらに短時間で確認することができるという効果があるとともに、センサデータ格納手段１０２が使用する記憶領域を低減することができるという効果がある。また、センサデータ格納手段１０２が、より多くのセンサデータを格納することができる。
【００６２】
なお、第４の実施の形態を、第１の実施の形態および第３の実施の形態と組み合わせて実施してもよい。
【００６３】
なお、上記の各実施の形態では、センサ１０１が温度センサである場合を例示したが、例えば、湿度センサ、照度センサ、紫外線センサ、炭酸ガスセンサ、衝撃センサおよびその他の生体センサや化学センサなどであってもよい。また、無線タグ１００が一つのセンサを内蔵する場合を例示したが、複数のセンサを内蔵してもよく、複数の種類のセンサが混在してもよい。また、無線タグ読み書き装置２００が送信する判定基準データが、温度が０度以上３０度未満である場合に正常と判定する、という内容である場合を例示したが、測定値が規定範囲内にない場合、もしくは、測定値の変化率が規定値よりも小さい場合または大きい場合に、正常（または異常）と判定する、という内容であってもよい。判定手段１０４が、複数の判定基準データを組み合わせた内容を判定基準として判定処理をおこなってもよい。
【００６４】
また、無線タグ１００が、無線タグ読み書き装置３００が送信する判定結果要求に応じて判定結果を送信する場合を示したが、ある一定周期で自動的に判定結果を送信してもよい。
【００６５】
さらに、上記の各実施の形態では、判定手段１０４が、判定基準データに基づいて、無線タグの周辺や無線タグが付随された商品に関する情報を示すセンサデータが正常であるか否かを判定する場合を例示したが、センサデータおよびセンサデータの検出時刻を判定対象としてもよい。例えば、判定対象を、センサデータＤ１の検出時刻Ｔ１と、センサデータＤ１より１周期前に検出されたセンサデータＤ０の検出時刻Ｔ０との差分［Ｔ１−Ｔ０］とするとともに、判定基準データを、検出時刻の差分［Ｔ１−Ｔ０］がセンサデータの検出周期Ｔよりも大きい場合に異常と判定する、という内容としてもよい。この場合、センサが正常に動作したか否かを判定することができる。
【産業上の利用可能性】
【００６６】
本発明は、センサが検出した情報を取得するために適用でき、特に、情報取得時の通信時間を短縮するために効果的に適用できる。
【図面の簡単な説明】
【００６７】
【図１】本発明による無線タグシステムの第１の実施の形態を示すブロック図である。
【図２】第１の実施の形態の無線タグシステムの動作を示すシーケンス図である。
【図３】本発明による無線タグシステムの第２の実施の形態を示すブロック図である。
【図４】第２の実施の形態の無線タグシステムの動作を示すシーケンス図である。
【符号の説明】
【００６８】
１００  無線タグ
１０１  センサ
１０２  センサデータ格納手段
１０３  送受信手段
１０４  判定手段
２００，３００  無線タグ読み書き装置
【図１】
2006302179.tif 000003
【図２】
2006302179.tif 000004
【図３】
2006302179.tif 000005
【図４】
2006302179.tif 000006